(57)【特許請求の範囲】
【請求項１】
四角状炉枠１に四角状炉体２を着脱自在に装着し、更に四角状炉体２内に電熱体３を備えたものに於いて、電熱体３には上面中央にヒーター部４を設けると共に表面に隅角部を切欠して三角状切欠部６を有した四角状灰型板５を設けた電熱枠体７と四角状灰型板５の三角状切欠部６に位置して三角筒型スイッチ体８とを設け、且つ三角状切欠部６の切欠縁９と三角筒型スイッチ体８の長辺面壁１０との間隙部１１が調節できると共に間隙部１１の調節は電熱枠体７より四角状摺動外筒３４を突設し、この四角状摺動外筒３４に嵌入した四角状摺動内筒３５を三角筒型スイッチ体８に設けて摺動させ、更に四角状摺動内筒３５に取付けた調節固定ネジ１２，１２が長穴３６，３６内を摺動し、所望の位置で調節固定ネジ１２を締付けることができる調節固定ネジ１２，１２を設けたことを特徴とする茶道用炉。
【請求項２】
ヒーター部４は円盤状に形成すると共に該ヒーター部４と外周溝１３を介して環状の炭型模様体１４を形成し、更に外周溝１３に遊嵌される環体１５を設け、環体１５の３等分個所に逆Ｌ字状の上置片１６，１６，１６の先端縁１７，１７，１７を固着し、下端縁１８，１８，１８が炭型模様体１４の外周で四角状灰型板５の上面に戴置されるようにして五徳５８を形成したことを特徴とする請求項１記載の茶道用炉。
【請求項３】
ヒーター部４の中央に昇降可能な昇降杆１９を設け、電熱枠体７内に昇降杆１９の上昇時はヒーター部４への通電回路を開き、昇降杆１９の下降時はヒーター部４への通電回路を閉じるようにしたスイッチ部２０を設けたことを特徴とする請求項１乃至２記載の茶道用炉。
【請求項４】
電熱枠体７の底面と正三角筒型スイッチ体８の底面とに亘り数個所にゴム製脚２１，２１・・・を設け、更にゴム製脚２１，２１・・・に嵌合する嵌合孔２２を設けた調節用脚２３，２３・・・を設けたことを特徴とする請求項１乃至３記載の茶道用炉。
【請求項５】
四角状炉壇枠１にコンセント２４を設け、更に四角状炉体２にコンセント２４に差し込む差し込み部２５を設けたコード２６を挿通するコンセント窓２７を設け、且つコンセント窓２７を密閉する密閉蓋２８を設け、密閉蓋２８を取付ける取付けネジ２９を具備したことを特徴とする請求項１乃至４記載の茶道用炉。
【請求項６】
四角状炉体２内に収納する分解自在の受け金具３０を設け、更に受け金具３０上に載置すると共に電熱体３を載置する中板３１を設け、中板３１に手掛け孔３２を設けことを特徴とする請求項１乃至５記載の茶道用炉。
【発明の詳細な説明】
【０００１】
【産業上の利用分野】
この発明は茶作法時に使用する置炉、炉壇として好適な茶道用炉に関するものである。
【０００２】
【従来の技術】
従来茶道用として電熱を熱源とし、一戸建家屋、マンション等の茶室の床に載置して置炉として使用したものは例えば実公平６−２９６０１号公報等によって知られている。
【０００３】
又茶室の床に取付けて炉壇として茶道を楽しむようにしものは例えば特公平７−１０９３０４号公報等によって知られている。
【０００４】
【発明が解決しようとする問題点】
ところで、従来茶道用として電熱を熱源とし、一戸建家屋、マンション等の茶室の床に載置して置炉として使用し、又は茶室の床に取付けて炉壇として茶道を楽しむようにしたものは、熱源として使用する電熱を置炉又は炉壇より簡単に着脱して新規な電熱と取替えることができず、又電熱を安定よく、更に使い勝手が良い上下位置となるように調節することができず、且又流儀によって五徳の爪の向きが異なるものであるが、五徳の爪の方向の位置を変えることができず、又更に電熱に変えて置炉又は炉壇の中に灰を入れて炭を使用することができない等の欠点があった。
【０００５】
この発明は、上記の問題点を解決したものであり、一戸建家屋、マンション等の茶室の床に載置して置炉として使用し、又は茶室の床に取付けて炉壇として茶道を楽しむことができ、熱源として使用する電熱を置炉又は炉壇より簡単に着脱して新規な電熱と取替えることができ、又電熱を安定よく、更に使い勝手が良い上下位置となるように調節することができ、且又茶道の流儀に合うように五徳の爪の向きを変えることができ、又更に電熱に変えて置炉又は炉壇の中に灰を入れて炭を使用することが安全にできるもので茶作法時に使用便利な茶道用炉を得ることを目的としたものである。
【０００６】
【問題点を解決するための手段】
上記の目的を達成するためのこの発明は、四角状炉枠１に四角状炉体２を着脱自在に装着し、更に四角状炉体２内に電熱体３を備えたものに於いて、電熱体３には上面中央にヒーター部４を設けると共に表面に隅角部を切欠して三角状切欠部６を有した四角状灰型板５を設けた電熱枠体７と四角状灰型板５の三角状切欠部６に位置して三角筒型スイッチ体８とを設け、且つ三角状切欠部６の切欠縁９と三角筒型スイッチ体８の長辺面壁１０との間隙部１１が調節できると共に間隙部１１の調節は電熱枠体７より四角状摺動外筒３４を突設し、この四角状摺動外筒３４に嵌入した四角状摺動内筒３５を三角筒型スイッチ体８に設けて摺動させ、更に四角状摺動内筒３５に取付けた調節固定ネジ１２，１２が長穴３６，３６内を摺動し、所望の位置で調節固定ネジ１２を締付けることができる調節固定ネジ１２，１２を設けたものである。
【０００７】
又ヒーター部４は円盤状に形成すると共に該ヒーター部４と外周溝１３を介して環状の炭型模様体１４を形成し、更に外周溝１３に遊嵌される環体１５を設け、環体１５の３等分個所に逆Ｌ字状の上置片１６，１６，１６の先端縁１７，１７，１７を固着し、下端縁１８，１８，１８が炭型模様体１４の外周で四角状灰型板５の上面に戴置されるようにした五徳５８を形成したものである。
【０００８】
又ヒーター部４の中央に昇降可能な昇降杆１９を設け、電熱枠体７内に昇降杆１９の上昇時はヒーター部４への通電回路を開き、昇降杆１９の下降時はヒーター部４への通電回路を閉じるようにしたスイッチ部２０を設けたものである。
【０００９】
又電熱枠体７の底面と正三角筒型スイッチ体８の底面とに亘り数個所にゴム製脚２１，２１・・・を設け、更にゴム製脚２１，２１・・・に嵌合する嵌合孔２２を設けた調節用脚２３，２３・・・を設けたものである。
【００１０】
又四角状炉壇枠１にコンセント２４を設け、更に四角状炉体２にコンセント２４に差し込む差し込み部２５を設けたコード２６を挿通するコンセント窓２７を設け、且つコンセント窓２７を密閉する密閉蓋２８を設け、密閉蓋２８を取付ける取付けネジ２９を具備したものである。
【００１１】
又四角状炉体２内に収納する分解自在の受け金具３０を設け、更に受け金具３０上に載置すると共に電熱体３を載置する中板３１を設け、中板３１に手掛け孔３２を設けたものである。
【００１２】
【実施例】
以下図面についてこの発明の実施例を説明すると、四角状炉枠１に四角状炉体２を着脱自在に装着し、更に四角状炉体２内に電熱体３を備えたものに於いて、電熱体３には上面中央にヒーター部４を設けると共に表面に隅角部を切欠して三角状切欠部６を有し、切欠縁９を備えた四角状灰型板５を上部に設けた電熱枠体７と隅角部を切欠した四角状灰型板５の三角状切欠部６に位置して操作摘み４７を有した三角筒型スイッチ体８とを設け、且つ三角状切欠部６の切欠縁９と三角筒型スイッチ体８の長辺面壁１０との間隙部１１が調節できると共に間隙部１１の調節は電熱枠体７より四角状摺動外筒３４を突設し、この四角状摺動外筒３４に嵌入した四角状摺動内筒３５を三角筒型スイッチ体８に設けて摺動させ、更に四角状摺動内筒３５に取付けた調節固定ネジ１２，１２が長穴３６，３６内を摺動し、所望の位置で調節固定ネジ１２を締付けることができる調節固定ネジ１２，１２を設けたものである（図１乃至図８参照）。
【００１３】
又ヒーター部４は円盤状に形成すると共に該ヒーター部４と外周溝１３を介して環状の炭型模様体１４を形成し、更に外周溝１３に遊嵌される環体１５を設け、環体１５の３等分個所に五徳の爪に相当する逆Ｌ字状の上置片１６，１６，１６の先端縁１７，１７，１７を固着し、下端縁１８，１８，１８が炭型模様体１４の外周で四角状灰型板５の上面に戴置されるようにして五徳５８を形成したものである（図１乃至図５参照）。
【００１４】
又ヒーター部４の中央に昇降可能な昇降杆１９を電熱枠体７に取付けた昇降筒３７に設け、電熱枠体７内に昇降杆１９の上昇時はヒーター部４への通電回路を開き、昇降杆１９の下降時はヒーター部４への通電回路を閉じるように作動する作動部材３８を介して開閉するスイッチ部２０を電熱枠体７に設けたものである（図１乃至図５、図７参照）。
【００１５】
又底面板３３を取付けた電熱枠体７の底面と正三角筒型スイッチ体８の底面とに亘り数個所にゴム製脚２１，２１・・・を設け、更にゴム製脚２１，２１・・・に嵌合する嵌合孔２２を設けた調節用脚２３，２３・・・を設けたものであり、且つ底面板３３は電熱枠体７よりゴム製脚２１，２１・・・の螺合孔３９，３９からの着脱によって取付け、取外しができるもので電熱枠体７に取付けたスイッチ部２０並びに作動部材３８の修理ができるものである（図２、図３、図５乃至図７参照）。
【００１６】
又四角状炉壇枠１にコンセント２４を設け、更に四角状炉体２にコンセント２４に差し込む差込部２５を設けたコード２６を挿通するコンセント窓２７を設け、且つコンセント窓２７を密閉する密閉蓋２８を設け、密閉蓋２８を取付ける取付けネジ２９を具備したもので密閉蓋２８はコンセント窓２７の周縁に設けた嵌合周縁４０に嵌合されるものである（図２、図３、図１２乃至図１６参照）。
【００１７】
又四角状炉体２内に収納する上部切欠部４１を設けた第１板体４２と下部切欠部４３を設けた第２板体４４よの成る分解自在の受け金具３０を設け、更に受け金具３０上に載置すると共に電熱体３を載置する中板３１を設け、中板３１に手掛け孔３２を設けたものである（図２、図３、図９乃至図１１参照）。
【００１８】
又電熱枠体７は四角状灰型板５の裏面に溶着部４５，４５・・・を介して取付け、底部に開口面部４６を設けたものである（図６、図７参照）。
【００１９】
【発明の作用効果】
この発明は上述のような構成であり、四角状炉枠１に四角状炉体２を着脱自在に装着し、更に四角状炉体２内に電熱体３を備えたものに於いて、電熱体３には上面中央にヒーター部４を設けると共に表面に隅角部を切欠して三角状切欠部６を有した四角状灰型板５を設けた電熱枠体７と四角状灰型板５の三角状切欠部６に位置して三角筒型スイッチ体８とを設け、且つ三角状切欠部６の切欠縁９と三角筒型スイッチ体８の長辺面壁１０との間隙部１１が調節できると共に間隙部１１の調節は電熱枠体７より四角状摺動外筒３４を突設し、この四角状摺動外筒３４に嵌入した四角状摺動内筒３５を三角筒型スイッチ体８に設けて摺動させ、更に四角状摺動内筒３５に取付けた調節固定ネジ１２，１２が長穴３６，３６内を摺動し、所望の位置で調節固定ネジ１２を締付けることができる調節固定ネジ１２，１２を設けたことによって、従来から使用している四角状炉体２に電熱体３を装着した場合は調節固定ネジ１２，１２を緩めて間隙部１１の間隔を調節して電熱体３を四角状炉体２に安定よく取付けることができるものであり、且つ電熱体３には五徳５８を介してお釜（図示せず）を載置して、茶道を楽しむことができるものである。
【００２０】
又ヒーター部４は円盤状に形成すると共に該ヒーター部４と外周溝１３を介して環状の炭型模様体１４を形成し、更に外周溝１３に遊嵌される環体１５を設け、環体１５の３等分個所に五徳の爪に相当する逆Ｌ字状の上置片１６，１６，１６の先端縁１７，１７，１７を固着し、下端縁１８，１８，１８が炭型模様体１４の外周で四角状灰型板５の上面に戴置されるようにして五徳５８を形成したので茶道の流儀により五徳５８を回動して上置片１６，１６，１６を流儀に合う位置に簡単に変えることができるもので茶道をより一層楽しむことができるものである。
【００２１】
又ヒーター部４の中央に昇降可能な昇降杆１９を設け、電熱枠体７内に昇降杆１９の上昇時はヒーター部４への通電回路を開き、昇降杆１９の下降時はヒーター部４への通電回路を閉じるようにしたスイッチ部２０を設けたのでお釜（図示せず）を載せないと通電することができずヒーター部４が作動しないものであり安全であり、お釜を下ろせばヒーター部４は自動的に消えるもので火災予防上極めて好都合である。
【００２２】
又電熱枠体７の底面と正三角筒型スイッチ体８の底面とに亘り数個所にゴム製脚２１，２１・・・を設け、更にゴム製脚２１，２１・・・に嵌合する嵌合孔２２を設けた調節用脚２３，２３・・・を設けたので使用した四角状炉体２によっては調節用脚２３，２３・・・を使用するか、使用しないかによって電熱体３の位置を上下に調節ができて使用勝手が良くお釜の上下位置が調節できて使用上好適である。
【００２３】
又四角状炉壇枠１にコンセント２４を設け、更に四角状炉体２にコンセント２４に差し込む差込部２５を設けたコード２６を挿通するコンセント窓２７を設け、且つコンセント窓２７を密閉する密閉蓋２８を設け、密閉蓋２８を取付ける取付けネジ２９を具備したので電熱体３を外して灰を入れ炭を使用しての茶道を楽しむことができるものであり、且つコンセント窓２７よりの灰漏れがなく、更に火災の原因となることがなく、お釜への熱源として電熱または炭の使い分けを安全に行うことができるものである。
【００２４】
又四角状炉体２内に収納する分解自在の受け金具３０を設け、更に受け金具３０上に載置すると共に電熱体３を載置する中板３１を設け、中板３１に手掛け孔３２を設けたので一戸建家屋等で深い四角状炉体２に電熱体３を載置して都合よく使用することができるものであり、更に手掛け孔３２による中板３１の取付け、取外しも容易で使用上極めて好都合である。
【００２５】
又構造が極めて簡単であり、安価に提供できる等の幾多の産業的効果を奏するものである。
【図面の簡単な説明】
【図１】平面図である。
【図２】使用中の断面図である。
【図３】分解した斜視図である。
【図４】電熱体の上面斜視図である。
【図５】電熱体の側面斜視図である。
【図６】電熱体の底面図である。
【図７】底面板を外した電熱体の底面図である。
【図８】正三角筒型スイッチ体の作動状態を示した電熱体の一部切欠底面図である。
【図９】受け金具の分解斜視図である。
【図１０】受け金具の斜視図である。
【図１１】調節用脚と中板との関係を示した斜視図である。
【図１２】四角状炉体の一部切欠斜視図である。
【図１３】四角状炉体のコンセント窓より密閉蓋を外した状態を示した一部切欠斜視図である。
【図１４】四角状炉体のコンセント窓と密閉蓋との関係を示した一部切欠断面図である。
【図１５】四角状炉体のコンセント窓より密閉蓋を外した状態を示した一部切欠断面図である。
【図１６】四角状炉体のコンセント窓に密閉蓋を装着する状態を示した一部切欠断面図である。
【符号の説明】
１  四角状炉枠
２  四角状炉体
３  電熱体
４  ヒーター部
５  四角状灰型板
６  三角状切欠部
７  電熱枠体
８  三角筒型スイッチ体
９  切欠縁
１０  長辺面壁
１１  間隙部
１２  調節固定ネジ
１３  外周溝
１４  炭型模様体
１５  環体
１６  上置片
１７  先端縁
１８  下端縁
１９  昇降杆
２０  スイッチ部
２１  ゴム製脚
２２  嵌合孔
２３  調節用脚
２４  コンセント
２５  差込部
２６  コード
２７  コンセント窓
２８  密閉蓋
２９  取付けネジ
３０  受け金具
３１  中板
３２  手掛け孔
３３  底面板
３４  四角状摺動外筒
３５  四角状摺動内筒
３６  長穴
３７  昇降筒
３８  作動部材
３９  螺合孔
４０  嵌合周縁
４１  上部切欠部
４２  第１板体
４３  下部切欠部
４４  第２板体
４５  溶着部
４６  開口面部
４７  操作摘み
４８  五徳
【図１】
0003905970.tif 000002
【図２】
0003905970.tif 000003
【図３】
0003905970.tif 000004
【図４】
0003905970.tif 000005
【図５】
0003905970.tif 000006
【図６】
0003905970.tif 000007
【図７】
0003905970.tif 000008
【図８】
0003905970.tif 000009
【図９】
0003905970.tif 000010
【図１０】
0003905970.tif 000011
【図１１】
0003905970.tif 000012
【図１２】
0003905970.tif 000013
【図１３】
0003905970.tif 000014
【図１４】
0003905970.tif 000015
【図１５】
0003905970.tif 000016
【図１６】
0003905970.tif 000017